(57)【要約】  冷蔵庫は、冷却器と、冷却器を加熱するヒータユニット（８０）と、ヒータユニット（８０）へ電流を供給する電流供給部（１０５）と、冷却器の温度を測定する温度測定器（９０）と、冷却器の測定温度と氷の融点との温度差の絶対値が基準温度差以下である状態の継続時間が基準時間以上であるか否かを判定するとともに、電流供給部（１０５）からヒータユニット（８０）への電流供給を停止する停止条件に該当するに至ったか否かを判定する判定部（１１３）と、判定部（１１３）により前述の継続時間が基準時間以上であると判定されると、ヒータユニット（８０）の発熱量が増大するように電流供給部（１０５）を制御し、判定部（１１３）により停止条件に該当するに至ったと判定されると、ヒータユニット（８０）への電流供給を停止するよう電流供給部（１０５）を制御するヒータ制御部（１１４）と、を備える。
2019111363.tif 000002
【特許請求の範囲】
【請求項１】
冷却器と、
前記冷却器を加熱する少なくとも１つのヒータユニットと、
前記少なくとも１つのヒータユニットへ電流を供給する電流供給部と、
前記冷却器の温度を測定する少なくとも１つの第１温度測定器と、
前記少なくとも１つの第１温度測定器により測定された測定温度と前記冷却器に付着した霜が融解する際の測定温度に相当する判定温度との温度差の絶対値が予め設定された基準温度差以下である状態の継続時間が、予め設定された基準時間以上であるか否かを判定するとともに、前記電流供給部から前記少なくとも１つのヒータユニットへの電流供給を停止する停止条件に該当するに至ったか否かを判定する判定部と、
前記判定部により前記継続時間が前記基準時間以上であると判定されると、前記少なくとも１つのヒータユニットの発熱量が増大するように前記電流供給部を制御し、前記判定部により前記停止条件に該当するに至ったと判定されると、前記電流供給部から前記少なくとも１つのヒータユニットへの電流供給を停止するよう前記電流供給部を制御するヒータ制御部と、を備える、
冷蔵庫。
【請求項２】
前記停止条件を設定する設定部を更に備え、
前記停止条件は、前記測定温度が氷の融点よりも少なくとも前記基準温度差に相当する温度だけ高い上限管理温度以上になることであり、
前記設定部は、前記判定部により前記継続時間が前記基準時間以上であると判定されると、前記上限管理温度を予め設定された温度だけ高い温度に設定する、
請求項１に記載の冷蔵庫。
【請求項３】
前記停止条件を設定する設定部を更に備え、
前記停止条件は、前記電流供給部が前記ヒータユニットへ電流供給を開始してからの経過時間が予め設定されたヒータ駆動時間以上になることであり、
前記設定部は、前記判定部により前記継続時間が前記基準時間以上であると判定されると、前記ヒータ駆動時間を予め設定された時間または予め設定された倍率だけ長い時間に設定する、
請求項１に記載の冷蔵庫。
【請求項４】
少なくとも１つの貯蔵室の温度を測定する第２温度測定器を更に備え、
前記停止条件は、前記第２温度測定器により測定される測定温度が、予め設定された貯蔵室上限管理温度以上になることである、
請求項１に記載の冷蔵庫。
【請求項５】
前記ヒータ制御部は、前記ヒータユニットへ供給する電流の電流値を第１電流値から前記第１電流値よりも大きい第２電流値へ変更することにより、前記ヒータユニットの発熱量が増大するように前記電流供給部を制御する、
請求項１から４のいずれか１項に記載の冷蔵庫。
【請求項６】
前記少なくとも１つのヒータユニットは、複数存在し、
前記ヒータ制御部は、複数のヒータのうちの第１数のヒータユニットへ電流を供給する第１状態から前記複数のヒータユニットのうちの前記第１数よりも多い第２数のヒータユニットへ電流を供給する第２状態へ変更することにより、前記複数のヒータユニット全体の発熱量が増大するように前記電流供給部を制御する、
請求項１から４のいずれか１項に記載の冷蔵庫。
【請求項７】
冷却器を加熱する少なくとも１つのヒータユニットへ電流を供給する電流供給部と、
前記冷却器の温度を測定する少なくとも１つの第１温度測定器と、
前記少なくとも１つの第１温度測定器により測定された測定温度と前記冷却器に付着した霜が融解する際の測定温度に相当する判定温度との温度差の絶対値が予め設定された基準温度差以下である状態の継続時間が、予め設定された基準時間以上であるか否かを判定するとともに、前記電流供給部から前記少なくとも１つのヒータユニットへの電流供給を停止する停止条件に該当するに至ったか否かを判定する判定部と、
前記判定部により前記継続時間が前記基準時間以上であると判定されると、前記少なくとも１つのヒータユニットの発熱量が増大するように前記電流供給部を制御し、前記判定部により前記停止条件に該当するに至ったと判定されると、前記電流供給部から前記少なくとも１つのヒータユニットへの電流供給を停止するよう前記電流供給部を制御するヒータ制御部と、を備える、
ヒータ駆動装置。
【請求項８】
冷却器の温度を測定する少なくとも１つの第１温度測定器により測定された測定温度と前記冷却器に付着した霜が融解する際の測定温度に相当する判定温度との温度差の絶対値が予め設定された基準温度差以下である状態の継続時間が、予め設定された基準時間以上であるか否かを判定するステップと、
前記冷却器を加熱する少なくとも１つのヒータユニットを駆動する電流供給部から前記少なくとも１つのヒータユニットへの電流供給を停止する停止条件に該当するに至ったか否かを判定するステップと、
前記継続時間が前記基準時間以上であると判定されると、前記少なくとも１つのヒータユニットの発熱量が増大するように前記電流供給部を制御するステップと、
前記停止条件に該当するに至ったと判定されると、前記電流供給部から前記少なくとも１つのヒータユニットへの電流供給を停止するよう前記電流供給部を制御するステップと、を含む、
ヒータ駆動方法。
【請求項９】
コンピュータを、
冷却器の温度を測定する少なくとも１つの第１温度測定器により測定された測定温度と前記冷却器に付着した霜が融解する際の測定温度に相当する判定温度との温度差の絶対値が予め設定された基準温度差以下である状態の継続時間が、予め設定された基準時間以上であるか否かを判定するとともに、前記冷却器を加熱する少なくとも１つのヒータユニットを駆動する電流供給部から前記少なくとも１つのヒータユニットへの電流供給を停止する停止条件に該当するに至ったか否かを判定する判定部、
前記判定部により前記継続時間が前記基準時間以上であると判定されると、前記少なくとも１つのヒータユニットの発熱量が増大するように前記電流供給部を制御し、前記判定部により前記停止条件に該当するに至ったと判定されると、前記電流供給部から前記少なくとも１つのヒータユニットへの電流供給を停止するよう前記電流供給部を制御するヒータ制御部、
として機能させるためのプログラム。
【発明の詳細な説明】
【技術分野】
【０００１】
本発明は、冷蔵庫、ヒータ駆動装置、ヒータ駆動方法およびプログラムに関する。
【背景技術】
【０００２】
冷蔵庫において、その蒸発器に霜が付着すると、蒸発器での熱交換効率が低下してしまい、その分、消費電力が増大する。そこで、蒸発器を加熱することにより蒸発器に付着した霜を除去するためのヒータを備える冷蔵庫が提案されている（例えば特許文献１参照）。特許文献１に記載された冷蔵庫は、冷凍サイクルの一部を構成する蒸発器を加熱する除霜ヒータと、蒸発器またはその近傍の温度を検知する温度センサと、所定時間内または経過後の温度センサの検出温度に基づき、次回の除霜運転における除霜終了温度または除霜運転を実行する周期を調整する制御装置と、を備え、残霜の発生を防止して蒸発器の冷却性能を維持しつつ、貯蔵室の温度上昇を抑制することができる。
【先行技術文献】
【特許文献】
【０００３】
【特許文献１】特開２００５−３３１１３９号公報
【発明の概要】
【発明が解決しようとする課題】
【０００４】
ところで、霜が付着した蒸発器を除霜ヒータにより加熱する場合、蒸発器の温度が０℃未満の温度領域において温度が上昇していき、蒸発器の温度が０℃近傍の領域に達すると霜が溶解し始める。これにより、蒸発器に付着した霜が全て溶解するまで蒸発器の温度が０℃近傍で維持される。その後、蒸発器に付着した霜が全て溶解すると、蒸発器の温度は再び上昇し始める。【０００５】
特許文献１に記載された冷蔵庫では、蒸発器の温度の時間プロファイルに関わらず、温度センサの検出温度に基づき、次回の除霜運転における除霜終了温度または除霜運転を実行する周期を調整する。従って、例えば除霜ヒータから蒸発器へ熱が伝達しにくい環境で冷蔵庫が使用されていることにより蒸発器が除霜終了温度に到達するまでの時間が長期化している場合と、蒸発器に霜が付着していることにより蒸発器が除霜終了温度に到達するまでの時間が長期化している場合と、が区別されない。このため、蒸発器に付着した霜の量が少ないにも関わらず、除霜運転における除霜終了温度が高めに設定されたり、除霜運転の周期が短縮されたりする虞がある。この場合、冷蔵庫が除霜運転を実行する際の消費電力が増加し冷蔵庫の庫内温度も上昇してしまう虞がある。【０００６】
本発明は、上記事由に鑑みてなされたものであり、除霜のための消費電力を低減しつつ庫内温度の上昇を抑制できる冷蔵庫、ヒータ駆動装置、ヒータ駆動方法およびプログラムを提供することを目的とする。
【課題を解決するための手段】
【０００７】
上記目的を達成するために、本発明に係る冷蔵庫は、
冷却器と、
前記冷却器を加熱する少なくとも１つのヒータユニットと、
前記少なくとも１つのヒータユニットへ電流を供給する電流供給部と、
前記冷却器の温度を測定する少なくとも１つの第１温度測定器と、
前記少なくとも１つの第１温度測定器により測定された測定温度と前記冷却器に付着した霜が融解する際の測定温度に相当する判定温度との温度差の絶対値が予め設定された基準温度差以下である状態の継続時間が、予め設定された基準時間以上であるか否かを判定するとともに、前記電流供給部から前記少なくとも１つのヒータユニットへの電流供給を停止する停止条件に該当するに至ったか否かを判定する判定部と、
前記判定部により前記継続時間が前記基準時間以上であると判定されると、前記少なくとも１つのヒータユニットの発熱量が増大するように前記電流供給部を制御し、前記判定部により前記停止条件に該当するに至ったと判定されると、前記電流供給部から前記少なくとも１つのヒータユニットへの電流供給を停止するよう前記電流供給部を制御するヒータ制御部と、を備える。
【発明の効果】
【０００８】
本発明によれば、ヒータ制御部が、判定部により冷却器の測定温度と冷却器に付着した霜が融解する際の測定温度に相当する判定温度との温度差の絶対値が基準温度差以下である状態の継続時間が基準時間以上であると判定されると、少なくとも１つのヒータの発熱量が増大するように電流供給部を制御する。これにより、ヒータの発熱量が、冷却器の周囲環境或いは冷却器の大きさによるヒータから冷却器への熱伝達量の変動に左右されず、冷却器に付着した霜の付着量に応じた適切な大きさに設定される。従って、除霜のための消費電力を低減しつつ冷蔵庫の庫内温度の上昇を抑制できる。
【図面の簡単な説明】
【０００９】
【図１】本発明の実施の形態に係る冷蔵庫の概略正面図
【図２】図１に示すＡ−Ａ線における概略断面矢視図
【図３】実施の形態に係る冷凍サイクルの構成を示す図
【図４】実施の形態に係る冷蔵庫の冷却器室での冷却器の配置を示す背面図
【図５】実施の形態に係る冷蔵庫の冷却器の斜視図
【図６】実施の形態に係るヒータ駆動装置のブロック図
【図７】実施の形態に係る電流値データベースの内容を示す図
【図８】実施の形態に係る冷蔵庫における、冷却器に付着した霜の量が比較的少ない場合と冷却器に付着した霜の量が比較的多い場合とにおける冷却器の温度の時間プロファイルを示す図
【図９】実施の形態に係る制御装置が実行するヒータ駆動処理の一例を示すフローチャート
【図１０】実施の形態に係る冷蔵庫における、冷却器の周囲環境が異なる場合の冷却器の温度の時間プロファイルを示す図
【図１１】実施の形態に係るヒータ駆動装置のブロック図
【図１２】本発明の実施の形態に係る冷蔵庫の概略正面図
【発明を実施するための形態】
【００１０】
以下、本発明の実施の形態に係る冷蔵庫について図面を参照しながら説明する。本実施の形態に係る冷蔵庫は、冷却器に付着する霜を除去するためのヒータと、ヒータへ電流を供給する電流供給部と、電流供給部を制御するヒータ制御部と、を備える。また、この冷蔵庫は、冷却器の温度を測定する第１温度測定器と、第１温度測定器により測定された測定温度と冷却器に付着した霜が融解する際の測定温度に相当する判定温度との温度差の絶対値が予め設定された基準温度差以下である状態の継続時間が、予め設定された基準時間以上であるか否かを判定する判定部と、を備える。そして、ヒータ制御部は、判定部により前述の継続時間が基準時間以上であると判定されると、ヒータの発熱量が増大するように電流供給部を制御する。
【００１１】
図１に示すように、本実施の形態に係る冷蔵庫１は、食品を貯蔵する複数の貯蔵室を備える。冷蔵庫１は、複数の貯蔵室として、食品を冷蔵する冷蔵室１０と、製氷器を収容する製氷室１１と、室内を製氷可能な温度とそれ以外の温度とに切り換え可能な切換室１２と、野菜を収容する野菜室１３と、冷凍食品を収納し冷凍食品を冷凍する冷凍室１４と、を備える。なお、図１において、冷蔵庫１の正面側から見て、左右方向をＸ軸方向、上下方向をＺ軸方向、Ｘ軸方向とＺ軸方向とに直交する方向をＹ軸方向としている。また、冷蔵庫１において、冷蔵および冷凍における熱伝達効率を高めるために野菜室１３と冷凍室１４とを入れ換えて配置してもよい。この場合、冷凍室１４と製氷室１１および切換室１２とが隣り合うように配置することが好ましい。
【００１２】
また、冷蔵庫１は、図２に示すように、冷却器室１６と、冷却器室１６に排水管１７を介して接続された機械室１８と、を備える。冷却器室１６は、冷蔵室１０、製氷室１１、切換室１２、野菜室１３および冷凍室１４それぞれに冷気風路１５を介して接続されている。冷却器室１６には、冷却器２０とファン３０とが収容されている。そして、冷却器室１６内における冷却器２０の周囲に存在する冷却された空気が、ファン３０により冷気風路１５を通じて冷蔵室１０、製氷室１１等へ供給される。また、機械室１８には、圧縮機４０が収容されている。更に、冷蔵庫１は、冷却器２０に付着した霜を除去する際にユーザにより操作される除霜スイッチ９５と、冷却器２０を加熱するヒータユニット８０と、冷却器２０の温度を測定する温度測定器９０と、を備える。ヒータユニット８０は、冷却器２０の下側に配置される下側ヒータ８０Ａと、冷却器２０の側方に配置される側方ヒータ８０Ｂと、を有する。この温度測定器９０は、特許請求の範囲に記載の第１温度測定器に相当する。また、冷蔵庫１は、除霜スイッチ９５がオンされると、冷却器２０の測定温度に基づいて、ヒータユニット８０を駆動するヒータ駆動装置１００と、を備える。
【００１３】
更に、冷蔵庫１は、冷却器２０および圧縮機４０の他に、図３に示すように、凝縮部５０と、減圧部６０と、サクションパイプ７０と、を備える。凝縮部５０、減圧部６０、冷却器２０、サクションパイプ７０および圧縮機４０は、それぞれ冷媒管ＰＩを介して接続され、冷凍サイクル２００を形成している。この冷凍サイクル２００では、凝縮部５０、減圧部６０、冷却器２０、サクションパイプ７０、圧縮機４０の順に冷媒が流れる。この冷凍サイクル２００に冷媒を循環させることにより、冷蔵室１０、製氷室１１、切換室１２、野菜室１３および冷凍室１４それぞれの室内を食品の冷凍保存または冷蔵可能な温度まで低下させる。
【００１４】
凝縮部５０は、凝縮パイプ５１と凝縮器５２とを有する。凝縮パイプ５１は、図１および図２に示す冷蔵庫１の筐体１ａに固定部材を介して固定され、冷蔵庫１の筐体に熱を放熱して冷媒を凝縮する。固定部材としては、アルミニウム製の粘着テープ、銅箔を含む粘着テープ等が挙げられる。図３に戻って、凝縮器５２は、凝縮器冷媒管と凝縮器冷媒管に接合されたフィンとを有するフィンアンドチューブ型凝縮器、凝縮器冷媒管と凝縮器冷媒管の表面を覆うワイヤとを有するワイヤアンドチューブ型凝縮器等であり、機械室１８内に配置されている。凝縮器５２は、フィン、ワイヤ等に放熱して冷媒を凝縮する。
【００１５】
減圧部６０は、膨張弁６１と毛細管６２とを有する。減圧部６０は、凝縮部５０で凝縮されて液化した冷媒を、減圧膨張させてその一部の冷媒を蒸発させることにより、冷媒を液体と気体との二相状態にする。
【００１６】
冷却器２０は、図４に示すように、冷却器冷媒管２１と、冷却器冷媒管２１に接合された複数のフィン２２と、を有し、冷却器冷媒管２１の熱が複数のフィン２２を介して外気へ放出される。冷却器２０は、減圧部６０において減圧されることにより二相状態となった冷媒のうち、液体状態の冷媒を蒸発させることにより、この冷媒の蒸発による吸熱作用でその周囲の空気を冷却する。そして、冷却器２０の周囲に存在する冷却された空気が、ファン３０により冷却器室１６外へ送られる。
【００１７】
冷却器冷媒管２１は、図４に示すように、ＸＺ面内において蛇行した形状を有する。冷却器冷媒管２１は、Ｘ軸方向に直線状に延在する直線部２１１と、Ｚ軸方向で隣り合う２つの直線部２１１それぞれの端部同士を繋ぐように曲折している曲折部２１２と、を有する。また、冷却器冷媒管２１は、図５に示すように、複数存在し、Ｙ軸方向に間隔を空けて並設されている。なお、図５は、３つの冷却器冷媒管２１が存在する場合を示している。また、複数のフィン２２は、図４に示すように、それぞれ複数の冷却器冷媒管２１の直線部２１１に接合されている。複数のフィン２２は、図５に示すように、金属から形成された板状の部材であり、それぞれＸ軸方向に沿って間隔を空けて配置されている。
【００１８】
図３に戻って、サクションパイプ７０は、減圧部６０の毛細管６２とともに断熱材７１中に配置されており、毛細管６２に接合されている。サクションパイプ７０は、毛細管６２と熱交換することにより、冷媒を凝縮温度に近い温度まで昇温させる。圧縮機４０は、サクションパイプ７０において昇温された冷媒を圧縮してから凝縮部５０へ送る。
【００１９】
ヒータユニット８０は、図５に示すように、冷却器２０の下側に配置された下側ヒータ８０Ａと、冷却器２０の側方に配置された側方ヒータ８０Ｂと、を有する。このように、側方ヒータ８０Ｂが冷却器２０の側方に配置されていることにより、冷却器２０に付着した霜の除去の効率を高めている。下側ヒータ８０Ａは、直管型であり遠赤外線を透過するガラス管と、ガラス管内に封入され通電されることで遠赤外線を放射するカーボン繊維と、を有するいわゆるカーボン型ヒータである。また、下側ヒータ８０Ａと冷却器２０との間には、ヒータルーフ８１が設けられており、冷却器２０から落下する霜または水の下側ヒータ８０Ａへの接触が防止されている。側方ヒータ８０Ｂは、蛇行した管状であり赤外線を透過するガラス管と、ガラス管内に封入されたカーボン繊維と、を有する。側方ヒータ８０Ｂは、冷却器２０のフィン２２に隣接した領域における、中央部から上側に亘る領域に配置されている。
【００２０】
温度測定器９０は、周囲の温度変化に応じて電気抵抗が変化するサーミスタを有する。温度測定器９０は、例えば図４に示すように、冷却器２０の冷却器冷媒管２１のヘッダ部２１ａに配設されている。このように、温度測定器９０がヘッダ部２１ａに配設されていることにより、温度測定器９０により測定される冷却器２０に付着する霜が融解する際の測定温度に相当する判定温度を、氷の融点に一致させることができる。なお、温度測定器９０は、サーミスタを有するものに限定されるものではなく、例えば熱電対を利用した温度測定器、放射温度計のような非接触の温度測定器等他の種類の温度測定器であってもよい。
【００２１】
ヒータ駆動装置１００は、通常モードと通常モード時に比べてヒータユニット８０の発熱量を増加させる特別モードとの２種類の駆動モードでヒータユニット８０を駆動する。ヒータ駆動装置１００は、図６に示すように、ＣＰＵ（Central Processing Unit）１０１と、揮発性メモリからなる主記憶部１０２と、不揮発性メモリからなる補助記憶部１０３と、インタフェース１０４と、ヒータユニット８０へ電流を供給する電流供給部１０５と、各部を接続するバス１０９と、を有する。不揮発性メモリとしては、磁気ディスク、半導体メモリ等が挙げられる。補助記憶部１０３は、後述するヒータ駆動処理を実行するためのプログラムを記憶する。インタフェース１０４は、温度測定器９０および除霜スイッチ９５に接続されている。インタフェース１０４は、除霜スイッチ９５から入力される信号を除霜スイッチ９５のオンオフ状態を示す情報に変換してＣＰＵ１０１へ通知する。また、インタフェース１０４は、温度測定器９０から入力される信号を温度情報に変換してＣＰＵ１０１へ通知する。
【００２２】
電流供給部１０５は、例えば系統電源から供給される交流を直流に変換する整流平滑回路と、整流平滑回路から電力供給を受けてヒータユニット８０へ一定の直流電流を供給する定電流制御を実行する電力変換回路と、を有する。そして、電流供給部１０５は、通常モード時と特別モード時とのそれぞれについて予め定められた一定の電流値の直流電流をヒータユニット８０へ供給する。バス１０９は、ＣＰＵ１０１と主記憶部１０２と補助記憶部１０３とインタフェース１０４と電流供給部１０５とを互いに接続する。
【００２３】
補助記憶部１０３は、判定基準に関する情報を記憶する基準データベース（以下、「ＤＢ」と称する。）１３１と、時刻情報を記憶する時刻ＤＢ１３２と、ヒータユニット８０へ供給する電流値を示す情報を記憶する電流値ＤＢ１３３と、を有する。基準ＤＢ１３１は、基準温度差、基準時間、上限管理温度およびヒータ駆動時間それぞれを示す情報を記憶する。ここで、基準温度差は、温度測定器９０により測定された測定温度と冷却器２０に付着する氷の融点との温度差の絶対値の基準となる温度であり、例えば温度測定器９０の測定誤差に基づいて設定される。基準時間は、温度測定器９０により測定された測定温度と氷の融点との温度差の絶対値が基準温度差以下である状態の継続時間の基準となる時間である。基準温度差および基準時間は、予め実験を行うことにより決定されており、ユーザにより予め設定される。上限管理温度は、ヒータユニット８０の温度の上限温度である。この上限管理温度は、氷の融点に比べて、少なくとも基準温度差に相当する温度だけ高い温度に設定されている。ヒータ駆動時間は、電流供給部１０５がヒータユニット８０へ電流供給を開始してからヒータユニット８０への電流供給を停止するまでの時間である。ところで、本実施の形態に係るヒータ駆動装置１００は、ヒータユニット８０の上限温度である上限管理温度と、ヒータユニット８０を駆動させる最長時間であるヒータ駆動時間と、を適宜変更する。そこで、基準ＤＢ１３１は、上限管理温度の初期値である初期上限管理温度と、ヒータ駆動時間の初期値である初期ヒータ駆動時間と、を示す情報を、上限管理温度とヒータ駆動時間とを示す情報とは別に記憶している。そして、後述するヒータ駆動処理が実行される毎に、その処理開始時に、上限管理温度とヒータ駆動時間とを示す情報が、初期上限管理温度と初期ヒータ駆動時間とを示す情報に初期設定される。
【００２４】
時刻ＤＢ１３２は、冷却器２０の測定温度と氷の融点との温度差が最初に基準温度差以下になった後この状態を継続しているときの時刻を示す時刻情報と、冷却器２０の測定温度と氷の融点との温度差の絶対値が基準温度差よりも大きいときの時刻を示す時刻情報と、を区別して記憶している。また、時刻ＤＢ１３２は、電流供給部１０５からヒータユニット８０へ電流供給を開始した直後の時刻を示す時刻情報も記憶している。
【００２５】
電流値ＤＢ１３３は、図７に示すように、通常モード時において電流供給部１０５からヒータユニット８０へ供給する電流の電流値と、特別モード時において電流供給部１０５からヒータユニット８０へ供給する電流の電流値と、を示す情報を記憶する。
【００２６】
図６に戻って、ＣＰＵ１０１は、補助記憶部１０３が記憶するプログラムを主記憶部１０２に読み出して実行することにより、冷却器２０の測定温度を取得する温度取得部１１１、時刻を計時する計時部１１２、判定部１１３、電流供給部１０５を制御するヒータ制御部１１４および、上限管理温度とヒータ駆動時間とを設定する設定部１１５として機能する。温度取得部１１１は、温度測定器９０により測定される冷却器２０の温度を示す測定温度情報を、インタフェース１０４を介して取得する。温度取得部１１１は、温度測定器９０から定期的に測定温度情報を取得し、取得した測定温度情報を主記憶部１０２に記憶させる。
【００２７】
計時部１１２は、ソフトウェアタイマを有し、現在の時刻を示す時刻情報を生成して時刻ＤＢ１３２に記憶させる。計時部１１２は、冷却器２０の測定温度と氷の融点との温度差が基準温度差以下であるときに生成した時刻情報と、冷却器２０の測定温度と氷の融点との温度差が基準温度差よりも大きいときに生成した時刻情報と、を区別して時刻ＤＢ１３２に記憶させる。
【００２８】
判定部１１３は、温度測定器９０により測定された測定温度と氷の融点との温度差を算出する。そして、判定部１１３は、算出した温度差が基準温度差以下である状態の継続時間が、基準時間以上であるか否かを判定する。また、判定部１１３は、電流供給部１０５からヒータユニット８０への電流供給を停止する停止条件に該当するに至ったか否かを判定する。具体的には、判定部１１３は、冷却器２０の測定温度が上限管理温度以上に達したか否かと、電流供給部１０５がヒータユニット８０へ電流供給を開始してからの経過時間がヒータ駆動時間以上に達したか否かを判定する。
【００２９】
ヒータ制御部１１４は、判定部１１３により、冷却器２０の測定温度と氷の融点との温度差が基準温度差以下である状態の継続時間が基準時間以上であると判定されると、ヒータユニット８０の発熱量が増大するように電流供給部１０５を制御する。具体的には、ヒータ制御部１１４は、電流供給部１０５からヒータユニット８０へ供給する電流の電流値を第１電流値から第１電流値よりも大きい第２電流値へ変更するように電流供給部１０５を制御する。また、ヒータ制御部１１４は、判定部１１３により、冷却器２０の測定温度が上限管理温度以上になったと判定されると、電流供給部１０５からヒータユニット８０への電流供給を停止するよう電流供給部１０５を制御する。
【００３０】
設定部１１５は、電流供給部１０５からヒータユニット８０への電流供給を停止する停止条件を設定する。具体的には、設定部１１５は、判定部１１３により、冷却器２０の測定温度と氷の融点との温度差の絶対値が基準温度差以下である状態の継続時間が基準時間以上であると判定されると、上限管理温度を予め設定された温度だけ高い温度に設定する。例えば上限管理温度の初期値を１℃程度に設定し、上限管理温度の上昇幅を予め１℃に設定しておいてもよい。また、設定部１１５は、判定部１１３により、冷却器２０の測定温度と氷の融点との温度差が基準温度差以下である状態の継続時間が基準時間以上であると判定されると、ヒータ駆動時間を予め設定された時間だけ長い時間に設定する。例えばヒータ駆動時間の初期値を３０分程度に設定し、ヒータ駆動時間の上昇幅を予め５分に設定しておいてもよい。
【００３１】
次に、本実施の形態に係るヒータ駆動装置１００の動作について説明する。図８の曲線Ｃ１は、冷却器２０に霜が付着している場合における、温度測定器９０により測定される冷却器２０の測定温度の時間プロファイルを示している。一方、図８の曲線Ｃ２は、曲線Ｃ１の場合に比べて冷却器２０に付着している霜の量が多い場合における冷却器２０の測定温度の時間プロファイルを示している。ここで、ヒータ駆動装置１００からヒータユニット８０へ供給される電流の電流値は一定である。図８に示すように、曲線Ｃ１における冷却器２０の測定温度と氷の融点との温度差の絶対値が基準温度差△Ｔｅｔｈ以下である状態の継続時間△Ｔｉ１に比べて、曲線Ｃ２における継続時間△Ｔｉ２のほうが長い。これは、冷却器２０に付着した霜の量が多くなるほど、その霜を全て溶解するために要する時間が長くなることを示している。そこで、本実施の形態に係るヒータ駆動装置１００では、例えば継続時間△Ｔｉ１よりも長く継続時間△Ｔｉ２よりも短い基準時間△Ｔｉｔｈが設けられている。そして、ヒータ駆動装置１００は、継続時間△Ｔｉ２が基準時間Ｔｉｔｈ以上に達した場合に電流供給部１０５からヒータユニット８０へ供給する電流の電流値を上昇させて冷却器２０に付着した霜の溶解を促進させる。このようにして、ヒータ駆動装置１００は、冷却器２０に付着した霜の量が少ない状態において電流供給部１０５からヒータユニット８０へ無駄に電流を供給してしまうことを防止している。
【００３２】
次に、本実施の形態に係るヒータ駆動装置１００が実行するヒータ駆動処理について図９を参照しながら説明する。このヒータ駆動処理は、例えばユーザが除霜スイッチ９５をオン状態にしたことを契機として開始される。
【００３３】
まず、ヒータ制御部１１４は、ヒータユニット８０への電流供給を開始するよう電流供給部１０５を制御する（ステップＳ１０１）。このとき、設定部１１５は、基準ＤＢ１３１が記憶する上限管理温度とヒータ駆動時間とを示す情報を、基準ＤＢ１３１が記憶する初期上限管理温度と初期ヒータ駆動時間とを示す情報に更新する。
【００３４】
次に、計時部１１２は、ヒータ駆動処理開始直後の時刻情報を生成して時刻ＤＢ１３２に記憶させる（ステップＳ１０２）。
【００３５】
続いて、判定部１１３は、基準ＤＢ１３１から基準温度差△Ｔｅｔｈおよび基準時間△Ｔｉｔｈを示す情報を取得する（ステップＳ１０３）。
【００３６】
その後、温度取得部１１１は、一定時間経過後、温度測定器９０により測定される冷却器２０の温度を示す測定温度情報を、インタフェース１０４を介して取得する（ステップＳ１０４）。
【００３７】
次に、判定部１１３は、温度取得部１１１が取得した測定温度情報が示す測定温度と氷の融点との温度差の絶対値を算出し（ステップＳ１０５）、算出した温度差の絶対値が基準温度差以下であるか否かを判定する（ステップＳ１０６）。ここで、判定部１１３は、ステップＳ１０５の処理において、前述の一定時間内に得られる測定温度情報が示す測定温度のうち最も高い測定温度と氷の融点との温度差の絶対値を算出する。例えば、温度取得部１１１が一定時間内に取得した測定温度情報が示す測定温度の最高値が−２℃であり、基準温度差が３℃に設定されているとする。この場合、測定温度の最高値と氷の融点（０℃）との温度差の絶対値が２℃であるため、判定部１１３は、算出した温度差の絶対値（２℃）が基準温度差（３℃）以下であると判定する。
【００３８】
判定部１１３により、算出された温度差の絶対値が基準温度差△Ｔｅｔｈ未満であると判定されると（ステップＳ１０６：Ｎｏ）、計時部１１２がその時の時刻を示す時刻情報を生成して時刻ＤＢ１３２に記憶させる（ステップＳ１０７）。続いて、後述のステップＳ１１４の処理が実行される。
【００３９】
一方、判定部１１３により、算出された温度差の絶対値が基準温度差△Ｔｅｔｈ以上であると判定されると（ステップＳ１０６：Ｙｅｓ）、計時部１１２は、その時の時刻を示す時刻情報を生成して時刻ＤＢ１３２に記憶させる（ステップＳ１０８）。
【００４０】
その後、判定部１１３は、時刻ＤＢ１３２が記憶する時刻情報に基づいて、冷却器２０の測定温度と氷の融点との温度差の絶対値が基準温度差△Ｔｅｔｈ以下である状態の継続時間を算出し（ステップＳ１０９）、算出した継続時間が基準時間△Ｔｉｔｈ以上であるか否かを判定する（ステップＳ１１０）。ここで、判定部１１３は、冷却器２０の測定温度と氷の融点との温度差の絶対値が最初に基準温度差△Ｔｅｔｈ以下になった後この状態を継続している間の時刻のうち、最も古い時刻と直近の時刻との差を計算することにより継続時間を求める。
【００４１】
判定部１１３が、冷却器２０の測定温度と氷の融点との温度差の絶対値が基準温度差△Ｔｅｔｈ以下である状態の継続時間が基準時間△Ｔｉｔｈ以上であると判定したとする（ステップＳ１１０：Ｙｅｓ）。この場合、ヒータ制御部１１４は、既に、駆動モードの変更を実行したか否かを判定する（ステップＳ１１１）。ヒータ制御部１１４は、未だ、駆動モードの変更を実行していないと判定すると（ステップＳ１１１：Ｎｏ）、駆動モードを通常モードから特別モードへ変更する（ステップＳ１１２）。このとき、ヒータ制御部１１４は、電流値ＤＢ１３３を参照して、ヒータユニット８０へ供給する電流の電流値を、通常モードに対応する第１電流値Ｉ１から特別モードに対応する第１電流値Ｉ１よりも大きい第２電流値Ｉ２へ変更するように電流供給部１０５を制御する。
【００４２】
その後、設定部１１５は、上限管理温度とヒータ駆動時間とを変更する（ステップＳ１１３）。具体的には、設定部１１５は、基準ＤＢ１３１が記憶する上限管理温度を初期上限管理温度よりも予め設定された温度だけ高い温度に更新するとともに、基準ＤＢ１３１が記憶するヒータ駆動時間を初期ヒータ駆動時間よりも予め設定された時間だけ長い時間に更新する。その後、再びステップＳ１０３の処理が実行される。一方、ヒータ制御部１１４が、既に、駆動モードの変更を実行したと判定すると（ステップＳ１１１：Ｙｅｓ）、そのままステップＳ１０３の処理が実行される。
【００４３】
また、判定部１１３が、前述のステップＳ１１０の処理において、冷却器２０の測定温度と氷の融点との温度差の絶対値が基準温度差△Ｔｅｔｈ以下である状態の継続時間が基準時間△Ｔｉｔｈ未満であると判定したとする（ステップＳ１１０：Ｎｏ）。この場合、判定部１１３は、基準ＤＢ１３１を参照して、温度取得部１１１が取得した測定温度情報が示す測定温度が上限管理温度以上であるか否かを判定する（ステップＳ１１４）。ここで、判定部１１３が、測定温度情報が示す測定温度が上限管理温度以上であると判定したとする（ステップＳ１１４：Ｙｅｓ）。この場合、ヒータ制御部１１４は、ヒータユニット８０への電流供給を停止するよう電流供給部１０５を制御し（ステップＳ１１５）、ヒータ駆動処理が終了する。このとき、除霜スイッチ９５は、オン状態からオフ状態へ切り替わる。
【００４４】
一方、判定部１１３は、測定温度情報が示す測定温度が上限管理温度未満であると判定すると（ステップＳ１１４：Ｎｏ）、時刻ＤＢ１３２を参照して、電流供給部１０５からヒータユニット８０への電流供給を開始した後の経過時間を算出する（ステップＳ１１６）。続いて、判定部１１３は、時刻ＤＢ１３２を参照して、算出した経過時間がヒータ駆動時間以上であるか否かを判定する（ステップＳ１１７）。判定部１１３により、算出した経過時間がヒータ駆動時間未満であると判定されると（ステップＳ１１７：Ｎｏ）、再びステップＳ１０４の処理が実行される。
【００４５】
一方、判定部１１３により、算出した経過時間がヒータ駆動時間以上であると判定されると（ステップＳ１１７：Ｙｅｓ）、ヒータ制御部１１４は、電流供給部１０５からヒータユニット８０への電流供給を停止するよう電流供給部１０５を制御し（ステップＳ１１５）、ヒータ駆動処理が終了する。なお、ヒータ駆動装置１００がヒータ駆動処理を実行している最中に、ユーザが除霜スイッチ９５を強制的にオフ状態にした場合、ヒータ駆動装置１００は、ヒータ駆動処理を強制的に終了する。
【００４６】
ところで、冷却器２０に付着した霜の量が同じであっても、冷却器２０の周囲環境の相違により冷却器２０の測定温度の時間プロファイルが変動しうる。図１０の曲線Ｃ１、Ｃ３は、冷却器２０に同量の霜が付着している場合における冷却器２０の測定温度の時間プロファイルを示している。曲線Ｃ３は、曲線Ｃ１に対応する冷却器２０の周囲環境に比べて、冷却器２０の周囲環境がヒータユニット８０から冷却器２０へ熱が伝達しにくい環境である場合の測定温度の時間プロファイルを示している。これは、例えばヒータユニット８０で発生した熱が冷却器２０以外へ伝達し易い環境である場合或いはヒータユニット８０で発生する熱量が小さい場合が該当する。ここで、ヒータ駆動装置が、例えば冷却器２０の測定温度が予め設定された温度以上になるまでの時間に基づいて冷却器２０に付着した霜の量を判定する構成であるとする。この場合、ヒータ駆動装置は、曲線Ｃ１の場合に比べて曲線Ｃ３の場合のほうが冷却器２０に付着した霜の量が多いと誤判定してしまい、例えばヒータユニット８０へ供給する電流の電流値を無駄に高めてしまう。この場合、ヒータユニット８０において電力が無駄に消費されてしまう。
【００４７】
これに対して、本実施の形態に係るヒータ駆動装置１００は、冷却器２０の測定温度と氷の融点との温度差の絶対値が基準温度差△Ｔｅｔｈ以下である状態の継続時間△Ｔｉ１、△Ｔｉ３に基づいて、ヒータユニット８０へ供給する電流の電流値を調節する。具体的には、ヒータ駆動装置１００は、継続時間△Ｔｉ１、△Ｔｉ３が基準時間△Ｔｉｔｈ未満であれば、ヒータユニット８０へ供給する電流の電流値を変更しない。このように、ヒータ駆動装置１００は、ヒータユニット８０から冷却器２０へ伝達する熱が冷却器２０に付着した霜を溶解するために消費されている継続時間△Ｔｉ１、△Ｔｉ３に基づいて、ヒータユニット８０へ供給する電流の電流値を適切に調節する。従って、ヒータユニット８０での無駄な電力消費が抑制される。
【００４８】
以上説明したように、本実施の形態に係る冷蔵庫１によれば、判定部１１３が、冷却器２０の測定温度と氷の融点との温度差の絶対値が基準温度差以下である状態の継続時間が基準時間以上であると判定すると、ヒータ制御部１１４が、ヒータユニット８０の発熱量が増大するように電流供給部１０５を制御する。これにより、ヒータユニット８０の発熱量が、冷却器２０の周囲環境或いは冷却器２０の大きさによるヒータユニット８０から冷却器２０への熱伝達量の変動に左右されず、冷却器２０に付着した霜の付着量に応じた適切な大きさに設定される。従って、除霜のための消費電力を低減しつつ冷蔵庫１の庫内温度の上昇を抑制でき、ひいては、冷蔵庫１に貯蔵された食品の品質の低下を防ぐことができる。
【００４９】
また、本実施の形態に係る設定部１１５は、判定部１１３により、冷却器２０の測定温度と氷の融点との温度差の絶対値が基準温度差△Ｔｅｔｈ以下である状態の継続時間が基準時間△Ｔｉｔｈ以上であると判定されると、上限管理温度を予め設定された温度だけ高い温度に設定し、ヒータ駆動時間を予め設定された時間だけ長い時間に設定する。これにより、冷却器２０に付着した霜の残留が抑制されるので、ヒータ駆動処理後における冷蔵庫１の消費電力が低減されるという利点がある。
【００５０】
更に、本実施の形態に係るヒータ制御部１１４は、ヒータユニット８０へ供給する電流の電流値を第１電流値から前記第１電流値よりも大きい第２電流値へ変更することにより、ヒータユニット８０の発熱量が増大するように電流供給部１０５を制御する。これにより、ヒータユニット８０を小規模化することができるので、冷蔵庫１全体の小型化を図ることができる。
【００５１】
以上、本発明の各実施の形態について説明したが、本発明は前述の実施の形態に限定されるものではない。例えば、冷却器２０を加熱するヒータユニットが、複数存在する構成であってもよい。例えば、冷蔵庫１が２つのヒータユニットを備えるとする。この場合、図１１に示すように、ヒータ駆動装置２１００は、２つのヒータユニット２８１、２８２を選択的に駆動するものであってもよい。各ヒータユニット２８１、２８２は、それぞれ冷却器２０の下側に配置された下側ヒータと、冷却器２０の側方に配置された側方ヒータと、を有する。ここで、ヒータ制御部２１１４は、通常モードにおいて、１つのヒータユニット２８１のみへ電流を供給する第１状態となるように電流供給部２１０５を制御する。そして、ヒータ制御部２１１４は、２つのヒータユニット２８１、２８２全体の発熱量を増大させる場合、前述の第１状態から２つのヒータユニット２８１、２８２の両方へ電流を供給する第２状態へ変更するように電流供給部２１０５を制御する。なお、ヒータユニット８０の数は２つに限定されるものではなく、３つ以上であってもよい。
【００５２】
本構成によれば、電流供給部２１０５による電流の供給先となるヒータユニット８０を選択して切り替えるだけでよいので、電流供給部２１０５に含まれる電力変換回路の構成を簡素化することにより電流供給部２１０５全体の構成を簡素化できる。
【００５３】
実施の形態では、ヒータ制御部１１４が、冷却器２０の測定温度が上限管理温度に到達すると、電流供給部１０５からヒータユニット８０への電流供給を停止するよう電流供給部１０５を制御する例について説明した。但し、電流供給部１０５からヒータユニット８０への電流供給の停止条件は、冷却器２０の測定温度が上限管理温度以上になることに限定されない。例えば、図１２に示すように、冷蔵庫１が、冷蔵室１０、製氷室１１、切換室１２、野菜室１３および冷凍室１４それぞれに設けられた温度測定器３９０、３９１、３９２、３９３、３９４を備えるとする。これらの温度測定器３９０、３９１、３９２、３９３、３９４は、特許請求の範囲に記載の第２温度測定器に相当する。この場合、ヒータ制御部１１４は、温度測定器３９０、３９１、３９２、３９３、３９４により測定される測定温度の全てが予め設定された貯蔵室上限管理温度以上になると、電流供給部１０５からヒータユニット８０への電流供給を停止するよう電流供給部１０５を制御するものであってもよい。或いは、ヒータ制御部１１４は、温度測定器３９０、３９１、３９２、３９３、３９４により測定される測定温度のうちの少なくとも１つが予め設定された貯蔵室上限管理温度以上になると、電流供給部１０５からヒータユニット８０への電流供給を停止するよう電流供給部１０５を制御するものであってもよい。
【００５４】
本構成によれば、貯蔵室内の温度上昇が抑制されるので、貯蔵室内に貯蔵された食品の品質低下を防止できる。
【００５５】
実施の形態では、ヒータ駆動装置１００が、ヒータユニット８０への電流供給の開始後の経過時間がヒータ駆動時間以上に達した場合、或いは、冷却器２０の測定温度が上限管理温度以上に達した場合のいずれかにおいてヒータ駆動処理を終了する例について説明した。但し、これに限らず、ヒータ駆動装置１００は、例えばヒータユニット８０への電流供給の開始後の経過時間がヒータ駆動時間以上に達した場合のみ、或いは、冷却器２０の測定温度が上限管理温度以上に達した場合のみヒータ駆動処理を終了させるものであってもよい。或いは、ヒータ駆動装置１００は、例えばヒータユニット８０への電流供給の開始後の経過時間がヒータ駆動時間以上に達し且つ冷却器２０の測定温度が上限管理温度以上に達した場合にヒータ駆動処理を終了させるものであってもよい。
【００５６】
実施の形態では、冷却器２０の測定温度と氷の融点との温度差の絶対値が基準温度差以下である状態の継続時間が基準時間以上になると、設定部１１５が上限管理温度を高い温度に更新し且つヒータ駆動時間を予め設定された時間だけ長い時間に更新する例について説明した。但し、これに限らず、設定部１１５が、例えば前述の継続時間が基準時間以上になると、ヒータ駆動時間を予め設定された倍率だけ長い時間に設定するものであってもよい。或いは、設定部１１５が、前述の継続時間が基準時間以上になると、上限管理温度だけをより高い温度に更新しヒータ駆動時間を変更しないものであってもよいし、上限管理温度を変更せずにヒータ駆動時間だけをより長い時間に更新するものであってもよい。
【００５７】
実施の形態では、温度測定器９０をヘッダ部２１ａに配設する例について説明したが、温度測定器９０の位置はこれに限定されない。例えば、温度測定器９０が、冷却器２０におけるヘッダ部２１ａ以外の部位に配設されるものであってもよい。この場合、冷却器２０に付着した霜が融解する際の冷却器２０の測定温度に相当する判定温度が、氷の融点よりも高い温度になりうる。この場合、判定温度を、氷の融点（０℃）よりも予め設定された温度だけ高い温度に設定すればよい。
【００５８】
実施の形態では、温度測定器９０が、サーミスタを有する温度測定器である例について説明したが、例えば、温度測定器９０が、冷却器冷媒管２１内の圧力を検出する圧力検出器と、圧力検出器が検出した圧力値からその圧力値に対応する冷媒の温度を算出する温度算出器と、を有するものであってもよい。この場合、判定温度は、圧力検出器により検出される圧力値に対応する冷媒の温度とし、基準ＤＢ１３１が記憶する基準温度差を示す情報は、冷却器２０内において冷媒が全て蒸発するときの冷媒の蒸発温度との温度差の絶対値の基準となる温度を示す情報としてもよい。また、この場合、前述のヒータ駆動処理のステップＳ１０６において、判定部１１３が、前述の判定温度と前述の蒸発温度との温度差の絶対値が基準温度差以下であるか否かを判定するようにすればよい。
【００５９】
実施の形態では、下側ヒータ８０Ａおよび側方ヒータ８０Ｂが、それぞれいわゆるカーボン型ヒータである例について説明したが、下側ヒータ８０Ａおよび側方ヒータ８０Ｂの種類はこれに限定されない。例えば下側ヒータ８０Ａおよび側方ヒータ８０Ｂが、ニクロム線を有するいわゆるニクロムヒータであってもよいし、カーボン繊維以外の赤外線、遠赤外線を放射する黒体を有するヒータであってもよい。また、下側ヒータ８０Ａおよび側方ヒータ８０Ｂの形状は、前述の直線状、蛇行した形状のものに限定されるものではなく、冷却器２０の形状に応じた他の形状であってもよい。また、ヒータユニット８０の配置は実施の形態で説明した配置に限定されるものではなく、冷却器２０を加熱できるのであれば他の配置が採用されてもよい。
【００６０】
実施の形態に係るヒータルーフ８１の形状およびその材料の種類は、前述のものに限定されない。例えば、ヒータルーフにおける冷却器２０に対向する部分が、Ｙ軸方向に沿って傾斜しているものであってもよい。この場合、下側ヒータ８０Ａで加熱された空気をヒータルーフにおける冷却器２０に対向する部分に沿って移動する。これにより、冷却器２０の冷却器冷媒管２１への入熱量を増加させることができる。また、ヒータルーフ８１が、アルミニウム製の板材から形成されており、冷却器２０の下側に当接した状態で配置されるものであってもよい。この場合、下側ヒータ８０Ａにより加熱されたヒータルーフ８１の熱が冷却器２０に伝達するため冷却器２０の除霜の効率が高まる。なお、この場合、ヒータルーフ８１は、アルミニウム製のテープ材により冷却器２０に固定されているほうが、伝熱効率向上の観点から好ましい。
【００６１】
本発明に係るヒータ駆動装置１００の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行するヒータ駆動装置１００を構成してもよい。
【００６２】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行するヒータ駆動装置１００として機能する。
【００６３】
本発明は、本発明の広義の精神と範囲を逸脱することなく、様々な実施形態および変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内およびそれと同等の発明の意義の範囲内で施される様々な変形が、本発明の範囲内とみなされる。
【産業上の利用可能性】
【００６４】
本発明は、除霜を行う必要がある冷蔵庫あるいは冷凍ショーケースに好適である。
【符号の説明】
【００６５】
１  冷蔵庫、１ａ  筐体、１０  冷蔵室、１１  製氷室、１２  切換室、１３  野菜室、１４  冷凍室、１５  冷気風路、１６  冷却器室、１７  排水管、１８  機械室、２０  冷却器、２１  冷却器冷媒管、２１ａ  ヘッダ部、２２  フィン、３０  ファン、４０  圧縮機、５０  凝縮部、５１  凝縮パイプ、５２  凝縮器、６０  減圧部、６１  膨張弁、６２  毛細管、７０  サクションパイプ、７１  断熱材、８０  ヒータユニット、８０Ａ  下側ヒータ、８０Ｂ  側方ヒータ、８１  ヒータルーフ、９０  温度測定器、９５  除霜スイッチ、１００，２１００  ヒータ駆動装置、１０１  ＣＰＵ、１０２  主記憶部、１０３  補助記憶部、１０４  インタフェース、１０５  電流供給部、１０９  バス、１１１  温度取得部、１１２  計時部、１１３  判定部、１１４  ヒータ制御部、１１５  設定部、１３１  基準ＤＢ、１３２  時刻ＤＢ、１３３  電流値ＤＢ、２００  冷凍サイクル、２１１  直線部、２１２  曲折部、ＰＩ  冷媒管
【図１】
2019111363.tif 000003
【図２】
2019111363.tif 000004
【図３】
2019111363.tif 000005
【図４】
2019111363.tif 000006
【図５】
2019111363.tif 000007
【図６】
2019111363.tif 000008
【図７】
2019111363.tif 000009
【図８】
2019111363.tif 000010
【図９】
2019111363.tif 000011
【図１０】
2019111363.tif 000012
【図１１】
2019111363.tif 000013
【図１２】
2019111363.tif 000014
【国際調査報告】
2019111363.tif 000015
2019111363.tif 000016
2019111363.tif 000017
2019111363.tif 000018